【事件の表示】
　特願２００１−３２４７４８「小型モータ」拒絶査定不服審判事件〔平成１４年　７月１９日出願公開、特開２００２−２０４５４８〕について、次のとおり審決する。
【結　論】
　本件審判の請求は、成り立たない。
【理　由】
１．手続の経緯・本願の発明
　本願は、特許法第４１条に基づく優先権主張を伴う平成１３年１０月２３日（優先日、平成１２年１１月６日）の出願であって、平成１８年８月２８日付けで拒絶査定がなされ、これに対し、同年１０月５日に拒絶査定不服審判の請求がされたものである。本願請求項１に係る発明（以下、「本願発明」という。）は、平成１８年３月２０日付けの手続補正書により補正された明細書及び図面の記載からみて、特許請求の範囲の請求項１に記載された次の事項により特定されるとおりのものと認める。
「複数のスロットを有する略円弧形状の鉄心と、前記スロットに巻装収納
された巻線と、前記鉄心の中心を軸方向に貫通固定された出力軸と、前記出力軸に固定された前記巻線の端部が電気的に接続された整流子からなる回転子と、前記回転子を回転自在に収納する有底中空円筒形状で内周面に複数の永久磁石を固着してなるケースと、前記ケースの開口端を閉鎖するように装着されたブラシホルダと、前記ブラシホルダの前記出力軸の出力側に配置されかつ前記回転子を回転自在に支持する軸受のハウジングと、前記ブラシホルダの前記回転子側に配置され、かつ、このブラシホルダに収納されて前記整流子と摺動するブラシとを備えた構成であり、さらに、
前記ブラシホルダに前記整流子と前記軸受との間で前記出力軸の周りに沿って一定の隙間をもった壁を設け、そして前記ハウジングの一部を欠如させた欠如部を設け、前記欠如部の前記ハウジングにおける配置が前記出力軸の中心線に対して線対称の片側に位置し、かつ前記ブラシの前記ハウジングにおける配置が前記中心線に対して線対称のもう片側に位置したことを特徴とする小型モータ。」
　
２．引用例
（１）これに対して、原査定の拒絶の理由に引用された実願昭６１−１１００５５号（実開昭６３−１７５６０号）のマイクロフィルム（以下、「引用例」という。）には、「直流機」と題して、図面と共に次の事項が記載されている。
　
・「本考案は、直流機に関し、特に、そのブラシ保持構造部並びに軸受構造部についての改良に係り、例えば、小型モータに利用して有効なものに関する。」（明細書２頁１〜４行）
　
・「本考案の目的は、オイルストッパ構造を簡単化して小型を促進させることができる直流機を提供することにある。
〔問題点を解決するための手段〕
　本考案にかかる直流機は、ブラシホルダを軸受部材付近に配設するとともに、このブラシホルダにオイルストッパ部を軸受部材に近接してこれを取り囲むように突設したことを特徴とする。
〔作用〕
　前記した手段によれば、オイルストッパ部がブラシホルダに配設されているため、その加工が簡単化されるとともに、ブラシホルダの取り付けによってオイルストッパ部の付設をも完了させることができる。」（明細書３頁３〜１６行）
　
・「本実施例において、直流機としてのモータ１はハウジング２を備えており、ハウジング２は一端面が開口し他端が閉塞した略円筒形状に形成されているヨーク３と、ヨーク３の開口面に被せ着けられているエンドブラケット４とから構成されている。ヨーク３の閉塞壁およびエンドブラケット４の中央部には軸受部材としての含油軸受メタル（以下、軸受メタルということがある。）５および６がそれぞれ配設されており、両メタル５、６はメタルホルダ７、８によってそれぞれ保持されている。」（明細書３頁２０行〜４頁１０行）
　
・「ハウジング１内には回転子軸１１が中心線上に架設されており、この軸１１は両軸受メタル５、６により回転自在に支承されている。回転子軸１１の一端部には複数枚のスラストリング１２が軸受メタル５を挟むように配されて固装されており、回転子軸１１は両側のスラストリング１２によって軸心方向の位置を規制されている。回転子軸１１にはアーマチュア１３が中間部に配されて固装されており、アーマチュア１３はヨーク３（注：「２」は誤記。）の内周面に周方向に略等間隔に配設された複数のマグネット１４に対向するように配設されている。回転子軸１１にはアーマチュア１３に給電するためのコンミュテータ１５がエンドブラケット４側の端部に配され固装されている。
　エンドブラケット４にはブラシホルダ１６がコンミュテータ１５に対向するように配されて嵌着されており、ブラシホルダ１６は合成樹脂を用いて一体成形されている。ブラシホルダ１６はエンドブラケット４と略同径の円形リング形状に形成されており、エンドブラケット４の内側端面に当接するように配されて固定されている。ブラシホルダ１６には一対の収容部１７が互いに１８０度の位相差をもって対向するように配されて略正方形の筒形状に形成されており、各収容部１７にはブラシ１８がスプリング１９の付勢下でコンミュテータ１５の外周面に摺接するように摺動自在にそれぞれ収容されている。
　ブラシホルダ１６の内側縁辺部にはオイルストッパ部２０が断面Ｌ字形状のリング状に形成されており、このオイルストッパ部２０はその円形リング形状部２１が軸受メタル６とコンミュテータ１５との間に挿入するように、また、円筒形状部２２が軸受メタル６の外周を取り囲むように、同心的に配設されている。」（明細書４頁１７行〜６頁１０行）
　
・「この軸受メタル５、６は潤滑油を含んでいるため、回転子軸１１とメタル５、６は十分に潤滑される。この潤滑油は回転摩擦熱等により流れ易くなり、外部に流出する。しかし、ブラシホルダ１６に一体的に成形されたオイルストッパ部２０が軸受メタル６を包囲しているため、流出油はオイルストッパ２０によって受け止められて流出を防止され、フェルト１０に吸収されることにより回収される。」（明細書６頁１８行〜７頁６行）
　
・「前記実施例によれば次の効果が得られる。
（１）　ブラシホルダにオイルストッパ部を軸受メタルを取り囲むように形成することにより、軸受メタルの潤滑油が流出するのを防止することができるため、油がコンミュテータ等の電気機器部分に至って機能を損なうのを防止することができる。」（明細書８頁７〜１２行）
　
・第１図には、鉄心と、鉄心に巻装収納された巻線と、前記鉄心の中央を軸方向に貫通固定された回転子軸１１と、コンミュテータ１５からなる回転子と、ヨーク３の開口端を閉鎖するように装着されたブラシホルダ１６と、前記ブラシホルダ１６の回転子軸１１の反出力側に配置されかつ回転子を軸受メタル６を介して回転自在に支持するエンドブラケット４と、ブラシホルダ１６の回転子側に配置されたブラシ１８と、ブラシホルダ１６にコンミュテータ１５と軸受メタル６との間に挿入するように回転子軸１１の周りに沿って隙間をもったオイルストッパ部２０を設けたことが示されている。
　
　これらの記載事項及び図示内容を総合すると、引用例には次の発明（以下、「引用発明」という。）が記載されているものと認められる。
　
「鉄心と、鉄心に巻装収納された巻線と、前記鉄心の中央を軸方向に貫通固定された回転子軸１１と、コンミュテータ１５からなる回転子と、前記回転子を回転自在に収納する一端面が開口し他端が閉塞した略円筒形状に形成され内周面に複数のマグネット１４を配設してなるヨーク３と、前記ヨーク３の開口端を閉鎖するように装着されたブラシホルダ１６と、前記ブラシホルダ１６の前記回転子軸１１の反出力側に配置されかつ前記回転子を軸受メタル６を介して回転自在に支持するエンドブラケット４と、前記ブラシホルダ１６の前記回転子側に配置され、かつ、このブラシホルダ１６に収納されて前記コンミュテータ１５と摺接するブラシ１８とを備えた構成であり、さらに、
前記ブラシホルダ１６に前記コンミュテータ１５と前記軸受メタル６との間に挿入するように同心的に前記回転子軸１１の周りに沿って隙間をもったオイルストッパ部２０を設けた小型モータ。」
　
（２）同じく原査定の拒絶の理由に引用された実願平１−１４１２６７号（実開平３−８０６５４号）のマイクロフィルム（以下「引用例２」という。）には、「回転電気機械の水抜き装置」と題して、図面と共に次の事項が記載されている。
　
・「油シール１８はその一部が回転軸１５の外周面に摺接されることにより、油（図示せず）が油溜め室１４側へ漏洩するのを防止するように構成されている。ハウジング１１は略平板状のエンドブラケット１９と、一端が開口され他端が閉塞されている円筒形状のヨーク２０とを備えており、ヨーク２０の開口端側にエンドブラケット１９がこれを閉塞するように被せられて、ねじ部材により固定されている。
　そして、エンドブラケット１９の壁体内部には油溜め室１４内へ漏洩した油を外部下方へ導く排油路２１が重力の作用する方向に沿って形成されている。すなわち、エンドブラケット１９の壁体内部において、排油路２１はその上端が油溜め室１４の最下部に軸受収納室１３側から接続するように開口されており、その中間部が垂直に延在するように配管され、その下端がエンドブラケット１９の外周における最下端位置において垂直下向きに開口されている。」（明細書６頁１〜１９行）
　
・「これら排油、排水作用において、油溜め室１４と回転体収容室１２とは通気路２５を介して連通され、かつ、油溜め室１４は排油路２１を介して外気に連通されているため、油に作用する圧力および水に作用する圧力が大気圧と同一になり、排油および排水を円滑に行うことができる。」（明細書１２頁３〜８行）
　
・第１図には、整流子とブラシを有する直流モータが示されている。
　
３．対比
　本願発明と引用発明を対比すると、その機能・作用からみて、後者の「軸受メタル６」が前者の「軸受」に相当し、また同様に、「摺接」が「摺動」に相当している。
　そして、引用発明の「鉄心と、鉄心に巻装収納された巻線と、前記鉄心の中央を軸方向に貫通固定された回転子軸１１と、コンミュテータ１５からなる回転子」と本願発明の「複数のスロットを有する略円弧形状の鉄心と、前記スロットに巻装収納された巻線と、前記鉄心の中心を軸方向に貫通固定された出力軸と、前記出力軸に固定された前記巻線の端部が電気的に接続された整流子からなる回転子」とは、「鉄心と、鉄心に巻装収納された巻線と、前記鉄心の中心を軸方向に貫通固定された出力軸と、整流子からなる回転子」の概念で共通している。
　また、引用発明の「回転子を回転自在に収納する一端面が開口し他端が閉塞した略円筒形状に形成され内周面に複数のマグネットを配設してなるヨーク３」は、本願発明の「回転子を回転自在に収納する有底中空円筒形状で内周面に複数の永久磁石を固着してなるケース」に相当する。
　次に、引用発明の「ブラシホルダ１６の回転子軸１１の反出力側に配置されかつ回転子を軸受メタル６を介して回転自在に支持するエンドブラケット４」と本願発明の「ブラシホルダの出力軸の出力側に配置されかつ回転子を回転自在に支持する軸受のハウジング」とは、「回転子を回転自在に支持する軸受のハウジング」の概念で共通する。
　さらに、引用発明の「ブラシホルダ１６にコンミュテータ１５と軸受メタル６との間に挿入するように同心的に回転子軸１１の周りに沿って隙間をもったオイルストッパ部２０を設け」は、隙間も同心的に設けられており、回転子軸の周りに沿って一定の隙間をもっているものと解されるから、本願発明の「ブラシホルダに整流子と軸受との間で出力軸の周りに沿って一定の隙間をもった壁を設け」に相当する。
　
　したがって、両者は、
「鉄心と、鉄心に巻装収納された巻線と、前記鉄心の中心を軸方向に貫通固定された出力軸と、整流子からなる回転子と、前記回転子を回転自在に収納する有底中空円筒形状で内周面に複数の永久磁石を固着してなるケースと、前記ケースの開口端を閉鎖するように装着されたブラシホルダと、前記回転子を回転自在に支持する軸受のハウジングと、前記ブラシホルダの前記回転子側に配置され、かつ、このブラシホルダに収納されて前記整流子と摺動するブラシとを備えた構成であり、さらに、
前記ブラシホルダに前記整流子と前記軸受との間で前記出力軸の周りに沿って一定の隙間をもった壁を設けた小型モータ。」
である点で一致し、次の点で相違する。
［相違点１］
　鉄心と巻線に関し、本願発明では「複数のスロットを有する略円弧形状の鉄心と、前記スロットに巻装収納された巻線」としているに対して、引用発明では「鉄心と、鉄心に巻装収納された巻線」としている点。
［相違点２］
　整流子に関し、本願発明では「出力軸に固定された巻線の端部が電気的に接続された」ことを限定しているのに対し、引用発明ではかかる限定がされていない点。
［相違点３］
　回転子を回転自在に支持する軸受のハウジングが、本願発明では「ブラシホルダの出力軸の出力側に配置され」ているのに対し、引用発明では「ブラシホルダの回転子軸（出力軸）の反出力側に配置され」ている点。
［相違点４］
　本願発明では、「ハウジングの一部を欠如させた欠如部を設け、前記欠如部の前記ハウジングにおける配置が出力軸の中心線に対して線対称の片側に位置し、かつブラシの前記ハウジングにおける配置が前記中心線に対して線対称のもう片側に位置したこと」を規定しているのに対し、引用発明ではかかる規定はされていない点。
　
４．判断
　上記相違点１ないし相違点４について以下検討する。
（１）相違点１及び相違点２について
　複数のスロットを有する略円弧形状の鉄心と、前記スロットに巻装収納された巻線を設けること、及び、出力軸に固定された巻線の端部が電気的に接続された整流子を設けることは、いずれも直流モータの技術分野においては周知技術に過ぎない（必要であれば例えば特開平１１−１６４５３３号公報（【００３８】、図３）、特開平１０−２７１７８８号公報（【００１２】、図５）を参照。）から、この周知技術を引用発明に適用することにより相違点１及び２に係る本願発明の構成とすることは、当業者が容易に想到し得るものであるといえる。
　
（２）相違点３について
　軸受のハウジングが、ブラシホルダの出力軸の出力側に配置される構成は、直流モータの技術分野においては周知技術に過ぎない（必要であれば例えば引用例２を参照。）から、この周知技術を引用発明に適用することにより相違点３に係る本願発明の構成のようにすることは、当業者が容易に想到し得るものであるといえる。
　
（３）相違点４について
　引用例２には、直流モータの技術分野において、ハウジングの一部を欠如させた欠如部（排油路２１）を設けた構成が記載されており、この構成により油がモータ内部に漏洩するのを防止する作用を奏するものと解せられる。
　また、直流モータの技術分野において、ブラシのハウジングにおける配置を中心線に対して片側に位置させることは、周知技術に過ぎない（必要であれば、例えば特開平９−１１７０９３号公報（図５）、実願昭６３−１０９４７５号（実開平２−３０２８１号）のマイクロフィルム（第３図）を参照）。
　引用発明と引用例２記載の発明とはいずれも直流モータという同一の技術分野に属しており、かつ、油がモータ内部（コンミュテータ等の電気機器部分）に漏洩するのを防止するという共通の課題を有しているといえるから、引用発明において、かかる課題の下に上記引用例２記載の構成を適用することは当業者にとって容易であり、その際に、上記周知技術を参酌して、欠如部とブラシの配置関係を適宜決定することにより、相違点４に係る本願発明の構成とすることに何等の困難性も見出せない。
　なお、本願明細書には、「欠如部につながるような凹部」を設けたことによる効果は段落【００２９】、【００３４】ないし【００３６】に記載されているが、かかる凹部は本願発明の発明特定事項として含まれていないものであると共に、「ハウジングの一部を欠如させた欠如部を設け、前記欠如部の前記ハウジングにおける配置が出力軸の中心線に対して線対称の片側に位置し、かつブラシの前記ハウジングにおける配置が前記中心線に対して線対称のもう片側に位置した」構成に対する技術的な意義の記載はなく、かつ、この構成による格別な効果も記載ないし示唆されていない。そうすると、上記構成は格別のものともいえない。
　
　そして、本願発明の全体構成により奏される効果も、引用発明、引用例２記載の発明及び周知技術から当業者が予測し得る範囲内のものである。
　
５．むすび
　したがって、本願発明は、引用発明、引用例２記載の発明及び周知技術に基いて当業者が容易に発明をすることができたものであるので、特許法第２９条第２項の規定により特許を受けることができない。
　よって、結論のとおり審決する。